(57)【要約】      （修正有）【課題】月経液等の吸収のための女性が利用する生理用品に関する。【解決手段】本生理用品は、シース４によって結合されたプラグ２と、パッド３とを備える。プラグ２は実質的に円筒形で、膣腔に快適に装着される。パッド３は膣腔外にとどまるが、プラグ２に近い内側面９に吸収層と、外側面１０に液体不透過性層とを有する。シース４は、プラグ２からパッド３へ余剰月経液を引くための吸収性素材の管を備え、その内面に液体不透過性素材の層を有する。これは、パッド３に近い方のプラグ２の外端部６からパッド３へ延び、パッド３を通り抜ける。利用の際、装用者は、膣腔へのプラグ２の挿入を助けるため、パッド３の外側面からシース内へ指を挿入することができる。生理用品を設置し、装用者の指を取り外した時、膣口に有意な圧力がかかることを回避するのに十分なほどシースは小径である。生理用品の取り出しを容易にするため紐１２が設けられる。【選択図】図２
2010246959.tif 000002
【特許請求の範囲】
【請求項１】
シースによって互いに結合された内部装用吸収性プラグ及び外部装用吸収性パッドを備え、
前記シースが前記パッドを貫通して開口しており、
挿入を助けるため装用者の指を前記シース内で受けることができるようになっている、ヒトの膣内へ挿入するための生理用品。
【請求項２】
前記シースが、該シースの外側から該シースの内側への方向で液体不透過性である、請求項１に記載の生理用品。
【請求項３】
前記シースが、液体不透過性材料の管を備える、請求項１又は２に記載の生理用品。
【請求項４】
前記パッドが、吸収層と、液体不透過性材料裏打ちシートとを備える、請求項１〜３のいずれか１項に記載の生理用品。
【請求項５】
前記パッドが、吸収層と、液体不透過性材料裏打ちシートとを備え、前記裏打ちシートは前記シースの液体不透過性材料と一体である、請求項３に記載の生理用品。
【請求項６】
前記シースが、前記プラグから前記パッドに、その長さに沿って液体を通過させるようになっている、請求項１〜５のいずれか１項に記載の生理用品。
【請求項７】
前記シースが、吸収性材料の管を備える、請求項１〜６のいずれか１項に記載の生理用品。
【請求項８】
前記シースが、吸収性材料の管の内部に液体不透過性材料の管を備える、請求項１〜７のいずれか１項に記載の生理用品。
【請求項９】
前記シースが柔軟である、請求項１〜８のいずれか１項に記載の生理用品。
【請求項１０】
前記シースが前記プラグの直径より小さい直径を有する、請求項１〜９のいずれか１項に記載の生理用品。
【請求項１１】
前記シースが、当該生理用品の膣内への挿入中に指を受けるため、半径方向に弾性的に拡張可能である、請求項１〜１０のいずれか１項に記載の生理用品。
【請求項１２】
前記シースが、前記プラグの端部と前記プラグに最も近い前記パッドの面との間で実質的に２．５ｃｍ延びている、請求項１〜１１のいずれか１項に記載の生理用品。
【請求項１３】
膣からの前記プラグの取り出しを支援するため前記プラグに取り付けた紐をさらに備える、請求項１〜１２のいずれか１項に記載の生理用品。
【請求項１４】
前記紐が前記シースの内側に沿って延びている、請求項１３に記載の生理用品。
【請求項１５】
前記プラグの長さが実質的に４ｃｍ以下であり、直径が実質的に２ｃｍ以下である、請求項１〜１４のいずれか１項に記載の生理用品。
【請求項１６】
膣内へ挿入するための吸収性プラグと、外部装用吸収性パッドと、プラグとパッドとを結合するネックとを備え、前記プラグの長さが実質的に４ｃｍ以下であり若しくは前記プラグの直径が実質的に２ｃｍ以下であり、又は、前記プラグの長さが実質的に４ｃｍ以下であり且つ前記プラグの直径が実質的に２ｃｍ以下である、生理用品。
【請求項１７】
前記ネックが、前記プラグの端部と前記プラグに最も近いパッドの面との間で実質的に２．５ｃｍ延びている、請求項１６に記載の生理用品。
【請求項１８】
前記ネックが、前記パッドを貫通して開口するシースを備え、前記シースが、挿入を助けるため装用者の指を当該シース内で受けることができるようになっている、請求項１６又は１７に記載の生理用品。
【請求項１９】
前記プラグの長さが実質的に３．５ｃｍ以下、直径が実質的に１．５ｃｍ以下である、請求項１６〜１８のいずれか１項に記載の生理用品。
【請求項２０】
前記プラグの長さが実質的に３．５ｃｍ、直径が実質的に１．５ｃｍである、請求項１６〜１９のいずれか１項に記載の生理用品。
【請求項２１】
前記パッドが、一端が他端より広い平坦な楕円形状を有する、請求項１６〜２０のいずれか１に記載の生理用品。
【請求項２２】
前記パッドの長さが実質的に６．５ｃｍ、幅が実質的に５．５ｃｍである、請求項１６〜２１のいずれか１項に記載の生理用品。
【請求項２３】
前記パッドの厚さが実質的に０．５ｃｍである、請求項１６〜２２のいずれか１項に記載の生理用品。
【請求項２４】
タンポンの一端に取り付けられ、ナプキンを通って開口するシースを有する組合わされたタンポン及び生理用ナプキン。
【請求項２５】
内部装用吸収性プラグと外部装用吸収性パッドとをシースによって結合することを包含する請求項１〜２３のいずれか１項の生理用品を製造する、生理用品製造方法。
【請求項２６】
添付の図面のいずれかを参照し、実質的に上述された生理用ナプキン。
【発明の詳細な説明】
【技術分野】
【０００１】
本発明は、生理用品に関する。より詳しくは、本発明は月経液等吸収のための女性が利用する生理用品に関する。
【背景技術】
【０００２】
月経中、女性は一般に月経液吸収のためタンポン又は生理用ナプキンのいずれかの利用を選択する。この利用は、タンポン及び生理用ナプキンの明確な利点及び欠点に影響される。
【０００３】
生理用ナプキンと異なり、タンポンは膣腔に挿入される。これはすなわち、利用者が細身の衣服を装用している場合でもタンポンは目立たないことを意味する。女性はまた、タンポンを利用していることを生理用ナプキンより意識しない傾向がある。これらの利点は多くの女性にとって決定的である。
【０００４】
しかしながら、タンポンにはその欠点がある。おそらく最も重要なのは、長い間挿入したままのタンポンは毒素性ショック症候群や場合によっては死の原因となることがある点である。他の医療的問題には、子宮内避妊器具（ＩＵＤ）を最近時挿入した場合、タンポンは利用しないという勧告や、タンポン利用は女性を子宮内膜症にかかりやすくするという証拠等がある。タンポンはまた、多くの知覚的及び実際的欠点を有する。タンポンは挿入が困難な場合がある。そのため、性的に活動的でない女性はタンポンの利用に快適さを感じないことがある。実際、膣腔へのタンポンの挿入を好ましくないとする文化がある。最後に、月経量の多い女性は漏れを経験し、タンポン利用に腹部の不快を感じることがある。
【０００５】
生理用ナプキンはタンポンの欠点の一部を回避する。生理用ナプキンは、膣腔の開口部を覆うように、すなわち外部から装用する。これは、タンポンの医療的欠点のすべて（毒素性ショック症候群、新しいＩＵＤとの問題及び子宮内膜症の傾向）が回避されることを意味する。膣腔への挿入に関する知覚的問題もまた回避され、生理用ナプキンは通常、タンポンより漏れにくいため、月経量の多い女性にとってより実際的である。最後に、生理用ナプキンは出産後又は妊娠終了後に特定利用される。
【０００６】
しかしながら生理用ナプキンにも欠点はある。最小の最も離散的な生理用ナプキンでもある程度は見てわかる。生理用ナプキンは一般に、パンティへの接着又はベルトによりその場に保持する必要がある。生理用ナプキンはタンポンに比べて大きいため、持ち運びや処分がより不便である。女性はまた、生理用ナプキンが快適でないため、生理用ナプキンを装用していることをタンポンより意識する傾向がある。最後に、生理用ナプキンは体液の混合を生じることがあるため、タンポンよりやや衛生的でない。
【０００７】
そのため、タンポンもナプキンも理想的ではないことがわかる。しかしながら、出願人は、タンポンの特徴の一部とナプキンの特徴の一部を組み合わせた生理用品が、タンポンとナプキン両方の利点の多くを有し、欠点を最小限にすることに気付いた。
【０００８】
タンポンとナプキンとの組み合わせはこれまでも提案されている。例えば、米国特許第2092346号、同第2331355号、同第3037506号、同第3420234号、同第3690321号、同第6059763号及び欧州特許第1206925号はすべて、各種形状及び設計の内部装用プラグ（例：「タンポン」）及び外部装用パッド（例：「生理用ナプキン」）を組み合わせた生理用品を記載する。しかしながら、これら生理用品はすべて多くの欠点を有する。特に、これらは装用が困難である。
【０００９】
タンポンは通常、プラスチック又は厚紙の硬い管である導入器具を用いて挿入する。導入器具を膣腔内へ挿入し、タンポンを導入器具から押し出して設置する。そしてタンポンを残して導入器具を膣から引き抜く。
【００１０】
米国特許第2092346号、同第2331355号、同第3037506号、同第3420234号、同第3690321号及び同第6059763号はそれぞれ、内部装用プラグに直接結合した外部装用パッドを有する。導入器具はパッド上を引き抜くことができないため、これらの生理用品のプラグを挿入するために導入器具を利用することはできない。そのため、プラグは、パッドを操作することにより、又は外した位置に折り畳んだパッドでプラグを操作することにより、手動で挿入しなければならない。これは控えめに言っても不都合である。
【００１１】
欧州特許第1206925号は、従来のタンポンを、紐を用いてパッドに取り外し可能に取り付けるやや異なるアプローチを提案する。この文書は、タンポンの挿入に導入器具を利用し、挿入後にパッドを取り付けることを提案する。しかしながらこれには時間と手間がかかる。
【発明の概要】
【発明が解決しようとする課題】
【００１２】
本発明はこのような問題を解決しようとするものである。
【課題を解決するための手段】
【００１３】
本発明によると、ヒトの膣に挿入するための生理用品が提供され、この生理用品は、シースによって互いに結合された内部装用吸収プラグと外部装用吸収パッドからなり、シースはパッドを貫通して開口しており、装用者の指がシースに受けられ、挿入を援助できるようになっている。
【００１４】
本発明は、管により生理用ナプキンに取り付けたタンポンと考えることができる。管は生理用ナプキンを通過してタンポンの一端に至る。挿入中、指は管内、すなわちパッドを通してタンポンまで挿入され、タンポンを容易に操作することができる。
【００１５】
本発明の文脈では、内部装用とは膣腔内部を意味する。言い換えると、膣口の中を意味する。外部装用とは、膣腔外部を意味する。言い換えると、膣口から外を意味する。本発明のパッドは、例えば大陰唇の間の外陰部に装用することが実際には望ましい。
【００１６】
シースは、カバー、スリーブ又はネックとも称する。これは利用の際、膣開口に最も近いプラグ端部に結合される。これはまたパッドに結合され、利用の際、身体から遠い方のパッド側から指をシースに挿入できるよう、パッドを通して開いている。すなわち、装用者の指を、パッドを通してプラグの端部に向けて挿入することができ、挿入した指の移動により、挿入中、プラグを容易に操作することができる。そのため、本発明の生理用品の装用は、従来の組み合わせ生理用品、又は大半のタンポンや生理用ナプキンよりはるかに装用が容易である。特に、別個の導入器具が不要で、生理用品をパンティに接着したり、ベルトによってその場に保持する必要がない。
【００１７】
プラグを指で操作する容易さを最適化するため、シースは通常、柔軟である。これにより、装用者の指がパッドに対してプラグを容易に移動させることができる。また、シースはプラグで終結することが望ましい。より詳しくは、シースは利用中、膣開口に最も近いプラグの端部まで延びていて良い。これにより、指をプラグに到達させ、これを直接操作することができる。
【００１８】
本発明の別の利点は、適用中、装用者の指が膣腔に入ることはあるが、指がシース内部にあり、膣とは直接接触しないことである。これにより、本発明の生理用品の装着は清潔で衛生的である。さらに、この生理用品の利用は、性的に未経験の女性や文化的違和感を持つ女性に受け入れられやすい。
【００１９】
この点で、シースはシース外側からシース内側へ液体不浸透性であることが望ましい。言い換えると、シースは液体不浸透性膜を備えていて良い。例えば、シースは液体不浸透性材料の管を備えることができる。そのため、体液その他液体はシース内部に透過せず、挿入した指が保護される。
【００２０】
挿入した指をさらに保護するため、シースがプラグと結合する箇所で閉じることができる。一例では、シースを形成する管の周囲をプラグに結合することができるが、管の内側はプラグに対して有効に開口することができる。しかしながら、液体不浸透性膜又は液体不浸透性素材の管はそれ自体がプラグに結合するシース端部で閉じている。これにより、プラグによって吸収された液体がシース内側へ通過しないようにする。
【００２１】
挿入した指を液体不透過性膜で保護することは有益である一方、プラグからパッドへ液体が通過できるようにすることが望ましい。そのため、シースはプラグからパッドへその長さに沿って液体を通過できることが望ましい。言い換えると、シースは吸収性素材の管を備えていて良い。これにより、プラグによって吸収された余剰液体がパッドへ通過することができる。そのため、この生理用品の吸収容量は最大限となり、プラグ及びパッドの大きさを最小限にすることができる。
【００２２】
特に好適な例では、シースは吸収性素材の管の内側に液体不透過性材料の管を備える。これにより、液体がプラグからパッドへ通過することができるが、シースの内側へは通過しない。
【００２３】
上述のように、プラグの直径は平均的従来タンポンの直径より小さいが、十分な吸収性を持たせるためにプラグは平均的膣口に比べて比較的大きい直径を有する。そのため、シースの直径はプラグの直径より小さいことが望ましい。利用の際、シースを膣口に位置決めすると、これにより生理用品が膣口に作用する圧力が減少し、装用者の快適性が大きく改善される。
【００２４】
それでも、シースは指を受け入れることができなければならず、これにより小型の従来タンポンと略同じか、やや大きい直径を持つことが多い。そのため、膣内への生理用品の挿入中、指を受けるよう、シースは半径方向に弾性的に拡張可能であることが特に望ましい。例えば、シースは円周方向に（のみ）伸縮性があって良い。（長手方向に有意な伸縮性があることは、プラグの誤配置に通じる恐れがあるため望ましくない。）より詳しくは、吸収性及び液体不透過性管は円周方向に伸縮性があって良い。
【００２５】
一般に、シースはプラグの端部とプラグに最も近いパッド面との間で実質的に２．５ｃｍ延びている。この長さはプラグを膣腔に好適に位置決めする。
【００２６】
上記では生理用品の挿入のみについて説明したが、生理用品の取り出しがプラグを外に引き出すだけで容易に達成できることは明白である。これによりプラグが膣から引き出される。しかしながら、出願人は、このようにパッドを引くことにより、利用中、装用者が必然的に膣と接触するパッドの側に触れることになるのに気づいた。これは望ましくない。そのため、生理用品はさらに、膣からのプラグの取り出しを助けるためプラグに取り付けた紐を備えることが望ましい。紐はシース内側に沿って延びることが特に望ましい。すると紐はパッドを通って延び、シース開口で装用者がアクセス可能となる。装用者がプラグを取り出すため紐を引く時、パッド又はプラグを把持する必要がないため、衛生面が改善する。
【００２７】
この紐という用語は、特定タイプのより糸や糸に限定されるものではなく、装用者が引いてプラグを抜き出すことのできるあらゆる利用可能な紐又は尾状物を意味する一般的な用語である。
【００２８】
一般に、パッドは吸収性の層と液体不透過性の裏打ちシートとを備える。裏打ちシートはシースの液体不透過性材料と一体であると便利である。これにより、利用中に液体がパッドを通過して、外側に向いた面に至ることのないようにする。同様に、パッドの吸収層はシースの吸収性材料と一体にすることができる。
【００２９】
パッドの寸法は、ベストフィットして十分な吸収能力を与えるよう選択することができる。特に好適な例では、次の寸法のいずれか、又は全てを利用することができる：パッドの長さが実質的に６．５ｃｍ、パッドの幅が実質的に５．５ｃｍ、及び／又はパッドの厚さが実質的に０．５ｃｍ。
【００３０】
パッドは、一端を他端より広くした平坦な楕円であることも望ましい。パッドは利用中、その長軸に沿って折り畳まれるため、不規則な楕円形によって典型的な女性の骨格に一致することができる。
【００３１】
プラグは従来のタンポンと同様の構成である。例えば、一般的に吸収材料の詰め物を備える。言い換えると、全体として中実である。実際、圧縮した綿等の中実円筒が一般的である。
【００３２】
上述のように、余剰液体はプラグからパッドへシースに沿って通過することができる。出願人は、快適さのために小径のシースを設けた場合でも、このプラグからパッドへの液体の通過により、プラグの大きさを最小限に出来ることに気付いた。実際、出願人は、平均的な従来型タンポンより実質的に小さいプラグで十分な吸収能力を備えることができると考える。そのため、プラグは長さ４ｃｍ以下、直径は２ｃｍ以下が望ましい。
【００３３】
出願人は、このことがそれ自体が新しいと考え、本発明によれば、膣内に挿入される吸収性プラグと、外部装用吸収パッドと、プラグとパッドを結合するネックとを備え、プラグは長さが実質的に４ｃｍ以下、及び／又は直径が実質的に２ｃｍ以下である、生理用品が提供される。
【００３４】
この小さいプラグサイズによって、吸収能力を損なうことなく生理用品の快適さを著しく高める。本発明の他の特徴を、本生理用品に組み込むことができる。特に、ネックはシースでよい。ネックは快適さのため、少なくともプラグより小さい直径を有することができる。
【００３５】
特に好適な実施形態では、プラグは長さが実質的に３．５ｃｍ、直径が実質的に１．５ｃｍである。月経量の多い女性以外では、これらは好ましい最大寸法である。月経量の少ない女性にはより小さい寸法も好適である。そのため、プラグは長さが実質的に３．５ｃｍ以下、及び直径が実質的に１．５ｃｍ以下であることが望ましい。
【００３６】
本発明によると、タンポンの一端に取り付けられ、ナプキンを通じて開口するシースを有する組み合わせタンポン及び生理用ナプキンも提供される。
【００３７】
本発明によると、生理用品の製造方法も提供され、この方法は、内部装用吸収プラグをシースによって外部装用パッドに結合するステップを備え、上述の生理用品を製造する。
【００３８】
本発明の好適な実施形態を、例としてのみ、添付の図面を参照しながら説明する。
【図面の簡単な説明】
【００３９】
【図１】本発明の好適な実施形態による生理用品の側面図である。
【図２】外部装用パッドを折り畳まない構成で示す図１の生理用品の側面図である。
【図３】図１の生理用品の正面図である。
【図４】図１の生理用品の背面図である。
【発明を実施するための形態】
【００４０】
図１から図４を参照すると、本発明の好適な実施形態による生理用品１は、シース４によって結合されたプラグ２とパッド３とを備える。
【００４１】
プラグ２は実質的に円筒形で、膣腔に快適に装着されるようになっている。利用の際、膣腔に最初に挿入されるプラグ２の端部を、プラグ２の最内端部５と称する。利用の際、最後に膣腔に挿入されるプラグ２の端部を、プラグ２の最外端部６と称する。最内端部５及び最外端部６はいずれもプラグ２の挿入と膣腔からの取り出しを容易にするためドーム形である。別の例では、最外端部６は平坦である。
【００４２】
プラグ２は一般に長さ約３．５ｃｍ、直径約１．５ｃｍである。他の実施形態では、これらの寸法は妥当な限界内、例えば、長さ４ｃｍ以下、直径２ｃｍ以下で変化することがある。しかしながら、月経量の少ない、無傷の処女膜を有する、すなわち性的経験のない女性向けには、プラグ２は一般的に短く、直径は小さい。
【００４３】
この実施形態では、プラグ２は圧縮した綿から作られる。例えば、圧縮綿シートを切断し、適切な形状に巻きこむ。所望により他の好適な材料及び構成を利用することができる。
【００４４】
一般に、パッド３は略平坦な卵形である。言い換えると、パッド３の周囲は、他端（狭端８）より幅の広い一端（広端７）を有する楕円である。利用中に膣と接触するパッド３の側面を内側面９（図３の生理用品１の正面として示す）と称し、利用中に衣服と接触するパッド３の側面を外側面１０（図４の生理用品１の後部として示す）と称する。
【００４５】
パッド３は内側面９の吸収層と、外側面１０の液体不透過層とを有する。本実施形態では、吸収層は圧縮綿から作られ、液体不透過層はポリマー材料から作られる。所望により他の好適な材料を用いることができる。
【００４６】
パッド３は、その最大寸法において一般に長さ６．５ｃｍ及び５ｃｍである。他の実施形態では、これらの寸法は妥当な限界内、例えば、長さは６ｃｍから７ｃｍ、幅は４．５ｃｍから５．５ｃｍで変化することができる。吸収層は一般に厚さ０，５ｃｍで、液体不透過層は、無視できる厚さを有するため、パッド３の全体厚さも一般に０．５ｃｍである。また、他の実施形態では、パッド３の厚さは例えば０．３ｃｍから０．７ｃｍの間でよい。
【００４７】
シース４は管状で、プラグ２の外端部６からパッド３に延びる。より詳しくは、シース４は液体不透過性材料の層を内面に有する吸収性素材の管から構成される。言い換えると、吸収性素材の管の内側に液体不透過性素材の管がある。吸収性素材の管はパッド３の内面９へ延びる。実際、シース４の吸収性素材はパッド３の吸収層と一体とすることができる。液体不透過性材料の管はパッド３を通してパッド３の外面１０に延びる。実際、液体不透過性材料の管はパッド３の液体不透過性裏打ちと一体とすることができる。
【００４８】
液体不透過性材料の管と、したがってシース４はパッド３の外面１０に開口する。パッド３の外面１０にシース６によって形成された開口１１は、図４に示される。この実施形態では、液体不透過性材料の管は、プラグ２と結合する部分で閉じる。これにより、プラグ２によって吸収された液体がシース４の内側へ通過することを防ぐ。
【００４９】
シース４はプラグ２の外端部からパッド３の内面へ約２．５ｃｍ延びているが、他の実施形態ではこの長さは例えば２ｃｍから３ｃｍの間で可変である。この長さは、例えば人差し指の先端を収納し、プラグ２の操作を可能にするだけのものである。
【００５０】
シース４の直径はプラグ２の直径より小さい。より詳しくは、シース４の最小寸法での外径は０．４ｃｍとすることができるが、他の実施形態ではこれは例えば０．２ｃｍから０．８ｃｍの間で可変である。この小径は、膣口領域での生理用品１の快適さを改善するために必要である。しかしながら、この小径は明らかにシース４内部に指を収納できるようにするには小さすぎる。そのため、シース４は半径方向に拡張可能である。これは、シース４が半径方向に伸縮性を持つことによって達成される。ある実施形態では、弾性管（図示せず）をシース４の吸収管と液体不透過性管との間に設ける。他の実施形態では、シース４の吸収及び液体不透過性管のいずれか又は両方が伸縮性を持つ。
【００５１】
紐１２を、生理用品取り出し援助のために設ける。本実施形態では、この紐は、シース４内部をプラグ２の外端部から延びて開口１１から出る。長さは略６ｃｍである。
【００５２】
利用において、生理用品１はその包装から取り出し、パッド３をその長軸、すなわちパッド３の広端部７と狭端部８との間を延びる直線に沿って緩く折り畳む。そして装用者の指の１本を、開口１１を通してシース４へ挿入し、プラグ２の外端部６に至る。シース４の弾性により、シース４は半径方向に拡張し、指を収納する。
【００５３】
装用者は、プラグ２が膣に向かって長手に延び、パッド３の広端部７が膣の略後部、すなわち肛門に向かって位置し、パッド３の狭端部８が膣の略前部、すなわち恥骨に向かって位置するよう使用生理用品１を方向付けする。するとプラグ２は膣口を通って膣腔内へ挿入される。パッド３の内面９が膣の面、より詳しくは大陰唇の間の外陰部に接するまで、プラグ２を膣腔内へ押し込む。そして、生理用品１をその場に残して指をシース４から引き抜く。
【００５４】
利用中、月経液はプラグ２によって吸収される。余剰の液体もシース４の吸収層に沿って引かれ、パッド３によって吸収される。生理用品１は極端に過度な月経液以外は対処するだけの吸収能力を有する。しかしながら、プラグ２の寸法は、生理用品１があることを女性がほとんど気付かないことを意味する。シース４の小径により、膣口にかかる有意な圧力が回避され、これも快適さを改善する。最後に、パッド３の寸法及び形状は、大陰唇の間に常駐するため、快適で邪魔にならないことを意味する。
【００５５】
生理用品１を取り出したい時は、装用者は紐１２を把持し、これを引いて膣からプラグ２を取り出すことができる。プラグ２が引き抜かれると、パッド３の外面１０を把持してパッド３をプラグ２とシース４を囲んで折りたたむことができる。このため、月経液との接触は回避される。
【００５６】
本発明の上述の実施形態は本発明の実施方法を例としてのみ述べたものである。上述の実施形態の修正、変形及び変更が、当業者によって行われるであろう。これら修正、変形及び変更は、特許請求の範囲及びその同等物に定義する本発明の精神及び範囲から逸脱せずに行うことができる。
【図１】
2010246959.tif 000003
【図２】
2010246959.tif 000004
【図３】
2010246959.tif 000005
【図４】
2010246959.tif 000006
【手続補正書】
【提出日】平成22年7月2日(2010.7.2)
【手続補正１】
【補正対象書類名】特許請求の範囲
【補正対象項目名】全文
【補正方法】変更
【補正の内容】
【特許請求の範囲】
【請求項１】
シースによって互いに結合された内部装用吸収性プラグ及び外部装用吸収性パッドを備え、
前記シースが前記パッドを貫通して開口しており、
前記プラグを膣口への挿入を助けるため装用者の指を前記シース内で受けることができるようになっており、前記シースが前記プラグと結合する箇所で閉じることを特徴とする、ヒトの膣のための生理用品。
【請求項２】
前記シースが、該シースの外側から該シースの内側への方向で液体不透過性である、請求項１に記載の生理用品。
【請求項３】
前記シースが、液体不透過性材料の管を備える、請求項１又は２に記載の生理用品。
【請求項４】
前記パッドが、吸収層と、液体不透過性材料裏打ちシートとを備える、請求項１〜３のいずれか１項に記載の生理用品。
【請求項５】
前記パッドが、吸収層と、液体不透過性材料裏打ちシートとを備え、前記裏打ちシートは前記シースの液体不透過性材料と一体である、請求項３に記載の生理用品。
【請求項６】
前記シースが、前記プラグから前記パッドに、その長さに沿って液体を通過させるようになっている、請求項１〜５のいずれか１項に記載の生理用品。
【請求項７】
前記シースが、吸収性材料の管を備える、請求項１〜６のいずれか１項に記載の生理用品。
【請求項８】
前記シースが、吸収性材料の管の内部に液体不透過性材料の管を備える、請求項１〜７のいずれか１項に記載の生理用品。
【請求項９】
前記シースが柔軟である、請求項１〜８のいずれか１項に記載の生理用品。
【請求項１０】
拡張していない前記シースが前記プラグの直径より小さい直径を有する、請求項１〜９のいずれか１項に記載の生理用品。
【請求項１１】
前記シースが、当該生理用品の膣内への挿入中に指を受けるため、半径方向に弾性的に拡張可能である、請求項１〜１０のいずれか１項に記載の生理用品。
【請求項１２】
前記シースが、前記プラグの端部と前記プラグに最も近い前記パッドの面との間で実質的に２．５ｃｍ延びている、請求項１〜１１のいずれか１項に記載の生理用品。
【請求項１３】
膣からの前記プラグの取り出しを支援するため前記プラグに取り付けた紐をさらに備える、請求項１〜１２のいずれか１項に記載の生理用品。
【請求項１４】
前記紐が前記シースの内側に沿って延びている、請求項１３に記載の生理用品。
【請求項１５】
前記プラグの長さが実質的に４ｃｍ以下であり、及び／又は、直径が実質的に２ｃｍ以下である、請求項１〜１４のいずれか１項に記載の生理用品。
【請求項１６】
前記プラグの長さが実質的に３．５ｃｍ以下、直径が実質的に１．５ｃｍ以下である、請求項１〜１５のいずれか１項に記載の生理用品。
【請求項１７】
前記プラグの長さが実質的に３．５ｃｍ、直径が実質的に１．５ｃｍである、請求項１〜１６のいずれか１項に記載の生理用品。
【請求項１８】
前記パッドが、一端が他端より広い平坦な楕円形状を有する、請求項１〜１７のいずれか１に記載の生理用品。
【請求項１９】
前記パッドの長さが実質的に６ｃｍから７ｃｍ、幅が実質的に４．５ｃｍから５．５ｃｍである、請求項１〜１８のいずれか１項に記載の生理用品。
【請求項２０】
前記パッドの長さが実質的に６．５ｃｍである、請求項１９に記載の生理用品。
【請求項２１】
前記パッドの幅が実質的に５．５ｃｍである、請求項１９に記載の生理用品。
【請求項２２】
前記パッドの厚さが実質的に０．３ｃｍから０．７ｃｍである、請求項１〜２１のいずれか１項に記載の生理用品。
【請求項２３】
前記パッドの厚さが実質的に０．５ｃｍである、請求項２２に記載の生理用品。
【請求項２４】
内部装用吸収性プラグと外部装用吸収性パッドとをシースによって結合することを包含する請求項１〜２３のいずれか１項の生理用品を製造する、生理用品製造方法。
【請求項２５】
請求項１〜２３のいずれか１項の生理用品を使用する方法であって、指を前記シースに挿入すること、及び、前記プラグを膣口を通って膣腔内へ押し込むことを含む、方法。